(57)【特許請求の範囲】
【請求項１】
表示部と、
指示体が接触または近接した指示位置を検知する入力検知部と、
前記指示位置に応じた入力に係る入力領域と当該入力領域とは異なる他領域とが並んだ第１の表示画像を前記表示部に表示し、所定の変更タイミングで、前記第１の表示画像における前記入力領域と前記他領域とを合わせた領域を前記入力領域とし、前記指示位置に応じた入力を検知する入力検知領域と、当該検知された入力に応じた情報を表示する入力表示領域とを有し、前記第１の表示画像における前記入力領域と前記他領域とを合わせた領域を前記入力検知領域とした検知画像を表示し、前記入力を検知した場合、前記入力検知領域および前記入力表示領域のみからなる表示検知画像を第２の表示画像として前記表示部に表示する制御部と、を有し、
前記第２の表示画像は、前記第１の表示画像における前記他領域に表示される画像を含まない、表示入力装置。
【請求項２】
前記入力検知領域は、前記入力を検知する複数の個別検知領域を含み、
前記制御部は、前記表示検知画像として、前記検知画像における当該入力を検知した個別検知領域とは異なる個別検知領域に前記入力表示領域を重畳した画像を表示する、請求項１に記載の表示入力装置。
【請求項３】
前記入力検知領域は、マトリックス状に配置され、前記入力を検知する複数の個別検知領域を含み、
前記制御部は、前記表示検知画像として、前記検知画像における前記入力を検知した個別検知領域を含まない前記個別検知領域の行または列を前記入力表示領域に切り替えた画像を表示する、請求項１に記載の表示入力装置。
【請求項４】
前記入力検知領域は、マトリックス状に配置され、前記入力を検知する複数の個別検知領域を含み、
前記制御部は、前記表示検知画像として、前記検知画像における前記入力を検知した個別検知領域を含まない前記個別検知領域のブロックを前記入力表示領域に切り替えた画像を表示する、請求項１に記載の表示入力装置。
【請求項５】
前記制御部は、前記表示検知画像として、前記検知画像における前記入力検知領域を縮小した前記入力検知領域と前記入力表示領域とが並んだ画像を表示する、請求項１に記載の表示入力装置。
【請求項６】
前記制御部は、前記第２の表示画像として、前記入力検知領域および前記入力表示領域を含む画像を、前記入力検知領域が現れ、前記入力表示領域が隠れるようにスライド表示し、所定のスライドタイミングで、前記入力表示領域が現れるように前記第２の表示画像をスライドさせる、請求項１に記載の表示入力装置。
【請求項７】
指示体が接触または近接した指示位置に応じた入力に係る入力領域と当該入力領域とは異なる他領域とが並んだ第１の表示画像を表示し、
所定の変更タイミングで、前記第１の表示画像における前記入力領域と前記他領域とを合わせた領域を前記入力領域とし、前記指示位置に応じた入力を検知する入力検知領域と、当該検知された入力に応じた情報を表示する入力表示領域とを有し、前記第１の表示画像における前記入力領域と前記他領域とを合わせた領域を前記入力検知領域とした検知画像を表示し、前記入力を検知した場合、前記入力検知領域および前記入力表示領域のみからなる表示検知画像を第２の表示画像として表示し、
前記第２の表示画像は、前記第１の表示画像における前記他領域に表示される画像を含まない、表示方法。
【請求項８】
コンピュータに、
指示体が接触または近接した指示位置に応じた入力に係る入力領域と当該入力領域とは異なる他領域とが並んだ第１の表示画像を表示する手順と、
所定の変更タイミングで、前記第１の表示画像における前記入力領域と前記他領域とを合わせた領域を前記入力領域とし、前記指示位置に応じた入力を検知する入力検知領域と、当該検知された入力に応じた情報を表示する入力表示領域とを有し、前記第１の表示画像における前記入力領域と前記他領域とを合わせた領域を前記入力検知領域とした検知画像を表示し、前記入力を検知した場合、前記入力検知領域および前記入力表示領域のみからなる表示検知画像を第２の表示画像として表示する手順とを実行させるためのプログラムであって、
前記第２の表示画像は、前記第１の表示画像における前記他領域に表示される画像を含まない、プログラム。
【発明の詳細な説明】
【技術分野】
【０００１】
本発明は、表示入力装置、表示方法およびプログラムに関し、特には、タッチパネルと表示部とを備えた表示入力装置、表示方法およびプログラムに関する。
【背景技術】
【０００２】
近年、モバイルルータのような小型の電子機器に対するコストの低減化が強く求められており、それに伴い、電子機器を構成する個々の部品やモジュールに安価なものが使用されることが多くなっている。
【０００３】
例えば、タッチパネルと表示部とを備えた表示入力装置としては、安価なコントローラＩＣ（Integrated Circuit）を備えたものが使用されることが多い。このような表示入力装置では、一般的に、タッチパネルの入力感度や位置精度が低いため、正確な入力を行うためには、同じ位置の入力であると認識する認識範囲にある程度の大きさが必要となる。
【０００４】
また、小型の電子機器では、表示画面が小さいため、例えば、４行４列のマトリックス状に配置された１６個の入力キーを表示する場合のように、表示される入力キーの数が多くなると、各入力キーの大きさが非常に小さくなってしまう。このため、各入力キーが、正確な入力を行うために必要な最小の認識範囲よりも小さくなってしまい、正確な入力が困難になることがある。
【０００５】
これに対して特許文献１には、入力を認識するための静電容量式タッチパネルの他に、ユーザの指や視線を検知する検知装置を備えた入力装置が開示されている。この入力装置は、検知装置の検知結果に基づいて、入力された文字を表示する文字表示領域を、入力キーの表示領域における、ユーザの指と重ならない位置に表示する。このため、表示画面上に、入力キーの表示領域とは異なる場所に文字表示領域を設ける必要がないため、入力キーを大きくすることが可能になり、その結果、正確な入力を行うことが可能になる。
【先行技術文献】
【特許文献】
【０００６】
【特許文献１】特開２００９−２８８８８１号公報
【発明の概要】
【発明が解決しようとする課題】
【０００７】
しかしながら、特許文献１に記載の入力装置では、タッチパネルの他に、ユーザの指や視線を検知する検知装置が必要となるため、コストが増加してしまうという課題がある。
【０００８】
本発明の目的は、上記課題を解決することが可能な表示入力装置、表示方法およびプログラムを提供することである。
【課題を解決するための手段】
【０００９】
本発明による表示入力装置は、表示部と、指示体が接触または近接した指示位置を検知する入力検知部と、前記指示位置に応じた入力に係る入力領域と当該入力領域とは異なる他領域とが並んだ第１の表示画像を前記表示部に表示し、所定の変更タイミングで、前記第１の表示画像における前記入力領域と前記他領域とを合わせた領域を前記入力領域とし、前記指示位置に応じた入力を検知する入力検知領域と、当該検知された入力に応じた情報を表示する入力表示領域とを有し、前記第１の表示画像における前記入力領域と前記他領域とを合わせた領域を前記入力検知領域とした検知画像を表示し、前記入力を検知した場合、前記入力検知領域および前記入力表示領域のみからなる表示検知画像を第２の表示画像として前記表示部に表示する制御部と、を有し、前記第２の表示画像は、前記第１の表示画像における前記他領域に表示される画像を含まない。
【００１０】
本発明による表示方法は、指示体が接触または近接した指示位置に応じた入力に係る入力領域と当該入力領域とは異なる他領域とが並んだ第１の表示画像を表示し、所定の変更タイミングで、前記第１の表示画像における前記入力領域と前記他領域とを合わせた領域を前記入力領域とし、前記指示位置に応じた入力を検知する入力検知領域と、当該検知された入力に応じた情報を表示する入力表示領域とを有し、前記第１の表示画像における前記入力領域と前記他領域とを合わせた領域を前記入力検知領域とした検知画像を表示し、前記入力を検知した場合、前記入力検知領域および前記入力表示領域のみからなる表示検知画像を第２の表示画像として表示し、前記第２の表示画像は、前記第１の表示画像における前記他領域に表示される画像を含まない。
【００１１】
本発明による表示方法は、コンピュータに、指示体が接触または近接した指示位置に応じた入力に係る入力領域と当該入力領域とは異なる他領域とが並んだ第１の表示画像を表示する手順と、所定の変更タイミングで、前記第１の表示画像における前記入力領域と前記他領域とを合わせた領域を前記入力領域とし、前記指示位置に応じた入力を検知する入力検知領域と、当該検知された入力に応じた情報を表示する入力表示領域とを有し、前記第１の表示画像における前記入力領域と前記他領域とを合わせた領域を前記入力検知領域とした検知画像を表示し、前記入力を検知した場合、前記入力検知領域および前記入力表示領域のみからなる表示検知画像を第２の表示画像として表示する手順とを実行させるためのプログラムであって、前記第２の表示画像は、前記第１の表示画像における前記他領域に表示される画像を含まない。
【発明の効果】
【００１２】
本発明によれば、コストの増加を抑制しつつ、正確な入力を行うことが可能になる。
【図面の簡単な説明】
【００１３】
【図１】本発明の第１の実施形態の表示入力装置の構成を示すブロック図である。
【図２】アイコン表示画像の一例を示す図である。
【図３Ａ】文字入力画像の一例を示す図である。
【図３Ｂ】参考例である表示画像を示す図である。
【図４】本発明の第１の実施形態の表示入力装置の動作を説明するためにフローチャートである。
【図５】検知画像の一例を示す図である。
【図６Ａ】第２の実施形態の表示検知画像の一例を示す図である。
【図６Ｂ】第２の実施形態の表示検知画像の別の例を示す図である。
【図７Ａ】第３の実施形態の表示検知画像の一例を示す図である。
【図７Ｂ】第３の実施形態の表示検知画像の別の例を示す図である。
【図７Ｃ】第３の実施形態の表示検知画像の別の例を示す図である。
【図８Ａ】第４の実施形態の表示検知画像の一例を示す図である。
【図８Ｂ】第４の実施形態の表示検知画像の別の例を示す図である。
【図９】第５の実施形態の表示検知画像の一例を示す図である。
【図１０Ａ】第６の実施形態の文字入力画像の一例を示す図である。
【図１０Ｂ】第６の実施形態の文字入力画像の別の例を示す図である。
【図１０Ｃ】第６の実施形態の文字入力画像の別の例を示す図である。
【図１１】本発明の第７の実施形態の表示入力装置の構成を示すブロック図である。
【図１２】本発明の第７の実施形態の表示入力装置の動作を説明するためにフローチャートである。
【発明を実施するための形態】
【００１４】
以下、本発明の実施形態について図面を参照して説明する。なお、各図面において同じ機能を有するものには同じ符号を付け、その説明を省略する場合がある。
【００１５】
（第１の実施形態）
図１は、本発明の第１の実施形態の表示入力装置の構成を示すブロック図である。図１に示すように表示入力装置１００は、表示部１と、入力検知部２と、制御部３とを有する。表示入力装置１００は、他の電子機器に組み込まれていてもよい。電子機器は、例えば、モバイルルータのような小型通信機器、携帯電話機、スマートフォン、タブレット端末、デジタルカメラ、プリンタまたは携帯ゲーム機などである。
【００１６】
表示部１は、種々の情報を表示する。具体的には、表示部１は、表示画面１１を有し、表示画面１１に種々の情報を表示する。表示画面１１の大きさは、特に限定されない。例えば、表示部１は、３インチ以下（例えば、２．４インチ）の小さい表示画面１１を有していてもよい。
【００１７】
入力検知部２は、指やスタイラスのような指示体が接触または近接した指示位置を検知する。具体的には、入力検知部２は、操作面２１と、コントローラＩＣ２２とを有する。操作面２１は、表示部１の表示画面１１と重畳されていることが望ましい。コントローラＩＣ２２は、指示体が接触または近接した操作面２１上の位置を指示位置として検知し、その検知位置を示す位置情報を制御部３に出力する。本実施形態では、入力検知部２は、静電容量方式のタッチパネルである。しかしながら、入力検知部２は、静電容量方式のタッチパネルに限らず、別の方式のタッチパネルやタッチセンサなどでもよい
【００１８】
制御部３は、表示入力装置１００全体を制御する。具体的には、制御部３は、通常時には、機能を選択するためのアイコンを表示するアイコン表示画像を表示部１の表示画面１１に表示する。アイコン表示画像は、入力検知部２が検知した指示位置に応じた入力に係る入力領域であるアイコン表示領域と、アイコン表示領域とは異なる他領域であるピクト表示領域とが並んだ第１の表示画像である。
【００１９】
アイコン表示領域は、機能を選択するための複数のアイコンを含む。ピクト表示領域は、表示入力装置１００または表示入力装置１００を組み込んだ電子機器（図示せず）の状態を表示する領域である。表示入力装置１００または電子機器の状態は、例えば、通信状態や充電状態などである。
【００２０】
図２は、アイコン表示画像の一例を示す図である。図２に示すようにアイコン表示画像２００では、アイコン表示領域２０１とピクト表示領域２０２とが縦方向に並んでいる。アイコン表示領域２０１は、複数のアイコン２０３を含む。ピクト表示領域２０２は、電子機器の通信状態と充電状態とが示されている。
【００２１】
図１の説明に戻る。制御部３は、アイコン表示画像を表示している時に、所定の変更タイミングで、アイコン表示画像におけるアイコン表示領域とピクト表示領域とを合わせた領域を入力領域とした第２の表示画像を表示部１の表示画面１１に表示する。本実施形態では、第２の表示画像に含まれる入力領域は文字入力に係る文字入力領域であり、第２の表示画像を文字入力画像と呼ぶ。所定の変更タイミングは、例えば、ユーザ名や暗証番号などの文字の入力が必要な機能が選択されたタイミングなどである。
【００２２】
文字入力領域は、入力検知部２にて検知された指示位置に応じた入力を検知する入力検知領域である入力キー領域と、その検知された入力に応じた情報を表示する入力表示領域である入力文字表示領域とを含む。入力キー領域には、入力を検知する複数の個別検知領域である複数の入力キーを含む。また、入力に応じた情報とは、入力が検知された入力キーに割り当てられた文字情報などである。
【００２３】
図３Ａは、文字入力画像の一例を示す図であり、図３Ｂは、参考例である表示画像を示す図である。図３Ａに示す文字入力画像３００では、文字入力領域である入力キー領域３０１と入力文字表示領域３０２とが縦方向に並んでいる。入力キー領域３０１は、複数の入力キー３０３を含む。図３Ａの例では、入力キー３０３は、４行４列のマトリックス状に配置されている。また、各入力キーは、長辺が横方向を向いた長方形状を有する。
【００２４】
図３Ａに示す文字入力画像３００では、文字入力領域（入力キー領域３０１および入力文字表示領域３０２）を含むが、ピクト表示領域２０２を含まないため、図３Ｂに示す表示画像３５０のようなピクト表示領域２０２と、文字入力領域（入力キー領域３０１および入力文字表示領域３０２）との両方を含む場合と比べて、文字入力領域を大きくすることが可能になる。
【００２５】
図４は、本発明の第１の実施形態の表示入力装置の動作を説明するためのフローチャートである。
【００２６】
先ず、表示入力装置１００の制御部３は、電源投入時などに、アイコン表示画像を表示部１の表示画面１１に表示する（ステップＳ４０１）。その後、制御部３は、所定の変更タイミングになったか否かを判断する（ステップＳ４０２）。例えば、制御部３は、入力検知部２のコントローラＩＣ２２からの位置情報を監視し、その位置情報に基づいて、文字の入力が必要な機能が選択されたか否かを判断する。そして、制御部３は、文字の入力が必要な機能が選択された場合、所定の変更タイミングになったと判断する。
【００２７】
所定の変更タイミングになった場合、制御部３は、文字入力画像を表示部１の表示画面１１に表示し（ステップＳ４０３）、処理を終了する。なお、所定の変更タイミングになっていない場合、制御部３は、ステップＳ４０２の処理に戻る。
【００２８】
以上説明したように本実施形態によれば、制御部３は、所定の変更タイミングアイコン表示画におけるアイコン表示領域とピクト表示領域とを合わせた領域を文字入力領域とした文字入力画像を表示する。このため、表示画面１１が小さくても、個々の入力キーの大きさや、互いに隣接する入力キーの間隔などを、入力検知部２の最小認識範囲や位置精度に応じた値にすることができる。その結果、コントローラＩＣ２２として性能が低いものが使用されたり、入力検知部２として指示位置を検知するセンサを１層で構成するようなシンプルな構成の静電容量方式のタッチパネルが使用されたりして、最小認識範囲を大きくする必要性が生じても、その最小認識範囲に合わせて入力キーを大きくすることが可能になる。また、指示位置を検知する位置精度が低い場合でも、互いに隣接する入力キーの間隔を広くすることができる。さらに、入力検知部２とは別の検出装置などを設ける必要もない。したがって、コストの増加を抑制しつつ、正確な入力を行うことが可能になる。
【００２９】
（第２の実施形態）
本実施形態では、制御部３は、所定の変更タイミングで、文字入力画像として、アイコン表示画像におけるアイコン表示領域とピクト表示領域とを合わせた領域を入力キー領域とした検知画像を表示部１に表示する。図５は、検知画像の一例を示す図である。図５に示す検知画像５００は、文字入力領域として、入力キー領域３０１を含むが、図３Ａで示したような入力文字表示領域３０２を含まない。
【００３０】
制御部３は、検知画像を表示しているときに、文字入力を検知した場合、文字入力画像として、入力キー領域と入力文字表示領域とを含む表示検知画像を表示部１に表示する。制御部３による文字入力の検知は、例えば、次のように行う。すなわち、制御部３は、入力検知部２から位置情報を受信し、その位置情報が示す指示位置が入力キー領域内の入力キーのいずれかに対応する位置の場合、その入力キーに割り当てられた文字入力を検知する。
【００３１】
本実施形態では、制御部３は、文字入力を検知した入力キーとは別の位置に入力文字表示領域を表示する。具体的には、制御部３は、表示検知画像として、検知画像に対して文字入力を検知した入力キーとは別の入力キーに入力文字表示領域をポップアップとして重畳した画像を表示する。
【００３２】
図６Ａおよび図６Ｂは、表示検知画像の一例を示す図である。制御部３は、図５に示す検知画像５００を表示しているときに、「ｔ」が割り当てられた入力キー３０３に対する入力を検知した場合、図６Ａに示す表示検知画像６００Ａを表示部１に表示する。具体的には、制御部３は、検知画像５００における「ｔ」が割り当てられた入力キー３０３とは別の入力キー３０３に、「ｔ」を表示した入力文字表示領域６０１を重畳して、表示検知画像６００Ａを表示する。
【００３３】
その後、制御部３は、「ａ」が割り当てられた入力キー３０３に対する入力を検知した場合、図６Ｂに示す表示検知画像６００Ｂのように、「ａ」が割り当てられた入力キー３０３とは別の入力キー３０３に、「ｔａ」を表示した入力文字表示領域６０２を重畳する。
【００３４】
なお、制御部３は、入力が検知されている間だけ表示検知画像を表示し、指示体が入力キー３０３から離れて入力が検知されなくなると、表示検知画像を表示画面１１上から削除することが望ましい。
【００３５】
本実施形態では、制御部３は、文字入力画像として、アイコン表示画像におけるアイコン表示領域とピクト表示領域とを合わせた領域を入力キー領域とした検知画像を表示し、入力を検知した場合、文字入力画像として、入力キー領域および文字入力表示領域を含む表示検知画像を表示する。このため、第１の実施形態と比べて、入力キーの大きさや、互いに隣接する入力キーの間隔などをさらに大きくすることが可能になるため、より正確な入力を行うことが可能になる。
【００３６】
また、本実施形態では、制御部３は、表示検知画像として、文字入力を検知した入力キーとは別の入力キーに入力文字表示領域を重畳した画像を表示する。このため、ユーザは、入力した文字を視認することができるため、ユーザビリティを確保することが可能になる。
【００３７】
なお、本実施形態では、制御部３は、入力が検知されなくなると、表示検知画像が表示画面１１上から削除されるため、特許文献１に記載の技術のような、ユーザの指や視線の変化に伴って文字表示領域を変更するような技術と比べて、制御部３に係る処理負荷を軽減することが可能になる。
【００３８】
（第３の実施形態）
本実施形態の表示入力装置１００は、制御部３が、表示検知画像として、検知画像における、入力を検知した入力キーを含まない入力キーの行または列を文字入力表示領域に切り替えた画像を表示する点で第２の実施形態と異なる。
【００３９】
図７Ａ〜図７Ｃは、本実施形態の表示検知画像の一例を示す図である。制御部３は、図５に示す検知画像５００を表示しているときに、「ｔ」が割り当てられた入力キー３０３に対する入力を検知した場合、図７Ａに示す表示検知画像７００Ａを表示する。具体的には、制御部３は、検知画像５００における「ｔ」が割り当てられた入力キー３０３を含まない入力キー３０３の行を、「ｔ」を表示した入力文字表示領域７０１に切り替えて、表示検知画像７００Ａを表示する。
【００４０】
その後、「ａ」が割り当てられた入力キー３０３に対する入力を検知した場合、制御部３は、図７Ｂに示す表示検知画像７００Ｂのように、「ａ」が割り当てられた入力キー３０３を含まない入力キー３０３の行を、「ｔａ」を表示した入力文字表示領域７０２に切り替える。さらに、「−」が割り当てられた入力キー３０３に対する入力を検知した場合、制御部３は、図７Ｃに示す表示検知画像７００Ｃのように、「−」が割り当てられた入力キー３０３を含まない入力キー３０３の行を、「ｔａ−」を表示した入力文字表示領域７０３に切り替える。
【００４１】
なお、図７Ａ〜図７Ｃの例では、入力キー３０３の行が入力文字表示領域に切り替えられていたが、入力キー３０３の列が入力文字表示領域に切り替えられてもよい。
【００４２】
本実施形態では、制御部３は、表示検知画像として、検知画像における入力を検知した入力キーを含まない入力キーの行または列を文字入力表示領域に切り替えた画像を表示する。したがって、第２の実施形態と同様に、ユーザは入力した文字を視認することができるため、ユーザビリティを確保することが可能になる。
【００４３】
（第４の実施形態）
本実施形態の表示入力装置１００は、制御部３が、表示検知画像として、検知画像における、入力を検知した入力キーを含まない入力キーの一定範囲のブロックを文字入力表示領域に切り替えた画像を表示する点で第３の実施形態と異なる。
【００４４】
図８Ａおよび８Ｂは、本実施形態の表示検知画像の一例を示す図である。制御部３は、図５に示す検知画像５００を表示しているときに、「ｔ」が割り当てられた入力キー３０３に対する入力を検知した場合、図８Ａに示す表示検知画像８００Ａを表示する。具体的には、制御部３は、検知画像５００における「ｔ」が割り当てられた入力キー３０３を含まない入力キー３０３のブロックを、「ｔ」を表示した入力文字表示領域８０１に切り替える。その後、「ａ」が割り当てられた入力キー３０３に対する入力を検知した場合、制御部３は、図８Ｂに示す表示検知画像８００Ｂのように、「ａ」が割り当てられた入力キー３０３を含まない入力キー３０３のブロックを、「ｔａ」を表示した入力文字表示領域８０２に切り替える。
【００４５】
なお、図８Ａおよび図８Ｂの例では、２行２列のブロックが入力文字表示領域に切り替えられていたが、ブロックの範囲は特に限定されない。例えば、入力文字表示領域に切り替えられるブロックの範囲は、２行３列のような行数と列数が異なる範囲でもよい。
【００４６】
本実施形態では、制御部３は、表示検知画像として、検知画像における入力を検知した入力キーを含まない入力キーのブロックを文字入力表示領域に切り替えた画像を表示する。したがって、第２の実施形態と同様に、ユーザは入力した文字を視認することができるため、ユーザビリティを確保することが可能になる。
【００４７】
（第５の実施形態）
本実施形態の表示入力装置１００は、制御部３が、表示検知画像として、検知画像における入力キー領域を縮小した入力キー領域と、入力文字表示領域とが並んだ画像を表示する点で第３の実施形態と異なる。入力キー領域を縮小する縮小方式は特に限定されないが、例えば、入力キーが長方形状の場合、制御部３は、互いに隣接する入力キーの間隔を維持したまま、各入力キーの長辺を短くすることで、入力キー領域を縮小する。
【００４８】
図９は、本実施形態の表示検知画像の一例を示す図である。図９に示す表示検知画像９００では、入力キー領域３０１の各入力キー３０３は、図５に示した検知画像５００における各入力キー３０３の長辺が短くなった形状をしており、入力キー領域３０１は、各入力キー３０３の長辺が短くなった分だけ小さくなっている。また、その小さくなった入力キー領域３０１が図５に示した検知画像５００における入力キー領域３０１の位置から左側に移動し、その移動によって空いた領域に入力文字表示領域３０２が挿入されている。      
【００４９】
本実施形態は、制御部３が、表示検知画像として、検知画像における入力キー領域を縮小した入力キー領域と、入力文字表示領域とが並んだ画像を表示する。したがって第２の実施形態と同様に、ユーザは入力した文字を視認することができるため、ユーザビリティを確保することが可能になる。
【００５０】
（第６の実施形態）
本実施形態の表示入力装置１００は、制御部３が文字入力画像として、入力キー領域および入力文字表示領域を含む画像をスライド表示させる点が第２の実施形態と異なる。具体的には、制御部３は、所定の変更タイミングで、入力キー領域が現れ入力文字表示領域が隠れるように文字入力画像をスライド表示する。そして、制御部３は、所定のスライドタイミングで、入力文字表示領域と入力キー領域の一部とが現れるように、文字入力画像をスライドさせる。なお、所定のスライドタイミングは、例えば、制御部３が入力検知部２からの位置情報に基づいて、文字入力画像をスライドさせるスライド操作を検知したタイミングなどである。スライド操作は、例えば、スワイプ操作などである。
【００５１】
図１０Ａ〜図１０Ｃは、本実施形態の文字入力画像の一例を示す図である。図１０Ａに示すように文字入力画像１０００では、入力キー領域３０１および入力文字表示領域３０２が縦方向に並んでいるが、表示部１の表示画面１１よりも大きく、全てを一度に表示することができない。このため、制御部３は、所定の変更タイミングで、図１０Ｂに示すように、入力キー領域３０１が現れ、入力文字表示領域３０２が隠れるように文字入力画像１０００をスライド表示する。そして、スライド操作を検知すると、制御部３は、図１０Ｃに示すように入力文字表示領域３０２と入力キー領域３０１の一部とが現れるように、文字入力画像１０００をスライドさせる。
【００５２】
なお、図１０Ａ〜図１０Ｃの例では、入力文字表示領域３０２が入力キー領域３０１よりも上に配置されていたが、入力キー領域３０１の上下左右のいずれに配置されてもよい。
【００５３】
以上説明したように本実施形態によれば、制御部３は、入力キー領域が現れ入力文字表示領域が隠れるように文字入力画像をスライド表示し、スライド操作を検知すると、入力文字表示領域と入力キー領域の一部とが現れるように、文字入力画像をスライドさせる。このため、第２の実施形態と同様に、ユーザは入力した文字を視認することができるため、ユーザビリティを確保することが可能になる。
【００５４】
（第７の実施形態）
図１１は、本発明の第７の実施形態に係る表示入力装置の構成を示すブロック図である。図１１に示す表示入力装置１００は、表示部１と、入力検知部２と、制御部３とを有する。入力検知部２は、指示体が接触または近接した指示位置を検知する。制御部３は、指示位置に応じた入力に係る入力領域とその入力領域とは異なる他領域とが並んだ第１の表示画像を表示部１に表示する。また、制御部３は、所定の変更タイミングで、第１の表示画像における入力領域と他領域とを合わせた領域を入力領域とした第２の表示画像を表示部１に表示する。
【００５５】
図１２は、本実施形態に係る表示入力装置の動作を説明するためのフリーチャートである。
【００５６】
先ず、表示入力装置１００の制御部３は、第１の表示画像を表示部１に表示する。し（ステップＳ１１０１）。その後、所定の変更タイミングになると、制御部３は、第２の表示画像を表示部１に表示し（ステップＳ１１０２）、処理を終了する。
【００５７】
本実施形態でも、コストの増加を抑制しつつ、正確な入力を行うことが可能になる。
【００５８】
以上説明した各実施形態において、図示した構成は単なる一例であって、本発明はその構成に限定されるものではない。
【００５９】
例えば、表示入力装置１００の機能は、その機能を実現するためのプログラムを、コンピュータにて読み取り可能な記録媒体に記録して、この記録媒体に記録されたプログラムをコンピュータに読み込ませ実行させることで、実現されてもよい。
【００６０】
上記の実施の形態の一部または全部は、以下の付記のようにも記載され得るが、以下には限られない。
（付記１）
表示部と、
指示体が接触または近接した指示位置を検知する入力検知部と、
前記指示位置に応じた入力に係る入力領域と当該入力領域とは異なる他領域とが並んだ第１の表示画像を前記表示部に表示し、所定の変更タイミングで、前記第１の表示画像における前記入力領域と前記他領域とを合わせた領域を前記入力領域とした第２の表示画像を前記表示部に表示する制御部と、を有する表示入力装置。
（付記２）
前記第２の表示画像は、前記入力領域として、前記指示位置に応じた入力を検知する入力検知領域と、当該検知された入力に応じた情報を表示する入力表示領域とを含む、付記１に記載の表示入力装置。
（付記３）
前記制御部は、前記第２の表示画像として、前記第１の表示画像における前記入力領域と前記他領域とを合わせた領域を前記入力検知領域とした検知画像を表示し、前記入力を検知した場合、前記第２の表示画像として、前記入力検知領域および前記入力表示領域を含む表示検知画像を表示する、付記２に記載の表示入力装置。
（付記４）
前記入力検知領域は、前記入力を検知する複数の個別検知領域を含み、
前記制御部は、前記表示検知画像として、前記検知画像における当該入力を検知した個別検知領域とは異なる個別検知領域に前記入力表示領域を重畳した画像を表示する、付記３に記載の表示入力装置。
（付記５）
前記入力検知領域は、マトリックス状に配置され、前記入力を検知する複数の個別検知領域を含み、
前記制御部は、前記表示検知画像として、前記検知画像における前記入力を検知した個別検知領域を含まない前記個別検知領域の行または列を前記入力表示領域に切り替えた画像を表示する、付記３に記載の表示入力装置。
（付記６）
前記入力検知領域は、マトリックス状に配置され、前記入力を検知する複数の個別検知領域を含み、
前記制御部は、前記表示検知画像として、前記検知画像における前記入力を検知した個別検知領域を含まない前記個別検知領域のブロックを前記入力表示領域に切り替えた画像を表示する、付記３に記載の表示入力装置。
（付記７）
前記制御部は、前記表示検知画像として、前記検知画像における前記入力検知領域を縮小した前記入力検知領域と前記入力表示領域とが並んだ画像を表示する、付記３に記載の表示入力装置。
（付記８）
前記制御部は、前記第２の表示画像として、前記入力検知領域および前記入力表示領域を含む画像を、前記入力検知領域が現れ、前記入力表示領域が隠れるようにスライド表示し、所定のスライドタイミングで、前記入力表示領域が現れるように前記第２の表示画像をスライドさせる、付記２に記載の表示入力装置。
（付記９）
前記入力検知領域は、前記入力を検知する複数の長方形状の個別検知領域を含み、
前記制御部は、互いに隣接する入力キーの間隔を維持したまま前記複数の個別検知領域の長辺を短くすることで、前記入力検知領域を縮小する、付記７に記載の表示入力装置。
（付記１０）
前記第２の表示画像では、前記入力検知領域と前記入力表示領域とが並んでいる、付記２に記載の表示入力装置。
（付記１１）
指示体が接触または近接した指示位置に応じた入力に係る入力領域と当該入力領域とは異なる他領域とが並んだ第１の表示画像を表示し、
所定の変更タイミングで、前記第１の表示画像における前記入力領域と前記他領域とを合わせた領域を前記入力領域とした第２の表示画像を表示する、表示方法。
（付記１２）
コンピュータに、
指示体が接触または近接した指示位置に応じた入力に係る入力領域と当該入力領域とは異なる他領域とが並んだ第１の表示画像を表示する手順と、
所定の変更タイミングで、前記第１の表示画像における前記入力領域と前記他領域とを合わせた領域を前記入力領域とした第２の表示画像を表示する手順とを実行させるためのプログラム。
【符号の説明】
【００６１】
１      表示部
２      入力検知部
３      制御部
１１    表示画面
２１    操作面
２２    コントローラＩＣ
１００  表示入力装置
【図１】
0006390979.tif 000002
【図２】
0006390979.tif 000003
【図３Ａ】
0006390979.tif 000004
【図３Ｂ】
0006390979.tif 000005
【図４】
0006390979.tif 000006
【図５】
0006390979.tif 000007
【図６Ａ】
0006390979.tif 000008
【図６Ｂ】
0006390979.tif 000009
【図７Ａ】
0006390979.tif 000010
【図７Ｂ】
0006390979.tif 000011
【図７Ｃ】
0006390979.tif 000012
【図８Ａ】
0006390979.tif 000013
【図８Ｂ】
0006390979.tif 000014
【図９】
0006390979.tif 000015
【図１０Ａ】
0006390979.tif 000016
【図１０Ｂ】
0006390979.tif 000017
【図１０Ｃ】
0006390979.tif 000018
【図１１】
0006390979.tif 000019
【図１２】
0006390979.tif 000020